(57)【要約】【課題】作業性の向上を図る。【解決手段】ゴムブーツ２１は、外周面にロックアーム１７が配されたハウジング１０に外嵌される筒状包囲部２２と、筒状包囲部２２の外周のうちロックアーム１７のロック解除操作部２０と対応する部位に形成され、ロック解除操作部２０をロック解除方向へ押すための押し操作部２８と、筒状包囲部２２の外周のうちハウジング１０を挟んで押し操作部２８とは反対側の位置に配され、押し操作部２８に対する押し操作力を受け止めるための指当て部２９と、筒状包囲部２２の外周における指当て部２９の隣接部位に配され、指当て部２９より突出した形態の突出部３０とを備える。【選択図】図３
2019160476.tif 000002
【特許請求の範囲】
【請求項１】
外周面にロックアームが配されたハウジングに外嵌される筒状包囲部と、
前記筒状包囲部の外周のうち前記ロックアームのロック解除操作部と対応する部位に形成され、前記ロック解除操作部をロック解除方向へ押すための押し操作部と、
前記筒状包囲部の外周のうち前記ハウジングを挟んで前記押し操作部とは反対側の位置に配され、前記押し操作部に対する押し操作力を受け止めるための指当て部と、
前記筒状包囲部の外周における前記指当て部の隣接部位に配され、前記指当て部より突出した形態の突出部とを備えていることを特徴とするゴムブーツ。
【請求項２】
前記筒状包囲部から前記突出部の突出方向と同方向へ屈曲して延出した筒状の電線挿通部を備えており、
前記電線挿通部の外周の一部が、前記指当て部を挟んで前記突出部と対向するように配された指受け部となっていることを特徴とする請求項１記載のゴムブーツ。
【請求項３】
前記突出部の肉厚寸法が、前記指当て部の肉厚寸法より大きく設定されていることを特徴とする請求項１又は請求項２記載のゴムブーツ。
【請求項４】
前記筒状包囲部の前端面には、前記ハウジングを前方から内嵌させるための嵌合口が開口し、
前記突出部の前端面が前記筒状包囲部の最前端に配され、
前記筒状包囲部の前端部のうち前記突出部の形成部位の肉厚寸法が、前記突出部の形成されていない部位の肉厚寸法より大きく設定されていることを特徴とする請求項１ないし請求項３のいずれか１項に記載のゴムブーツ。
【請求項５】
前記突出部には、前記ハウジングとの嵌合対象である相手側コネクタのリブを収容可能な検知用凹部が形成されていることを特徴とする請求項１ないし請求項４のいずれか１項に記載のゴムブーツ。
【請求項６】
前記突出部の前端面は、検査用プローブを突き当てることが可能な検査用当接面となっていることを特徴とする請求項１ないし請求項５のいずれか１項に記載のゴムブーツ。
【請求項７】
外周面にロックアームが配されたハウジングと、
前記ハウジングに外嵌される筒状包囲部を有するゴムブーツと、
前記筒状包囲部の外周のうち前記ロックアームのロック解除操作部と対応する部位に形成され、前記ロック解除操作部をロック解除方向へ押すための押し操作部と、
前記筒状包囲部の外周のうち前記ハウジングを挟んで前記押し操作部とは反対側の位置に配され、前記押し操作部に対する押し操作力を受け止めるための指当て部と、
前記筒状包囲部の外周のうち前記指当て部と隣接する部位に配され、前記指当て部より径方向へ突出した形態の突出部とを備えていることを特徴とするコネクタ。
【発明の詳細な説明】
【技術分野】
【０００１】
本発明は、ゴムブーツ及びコネクタに関するものである。
【背景技術】
【０００２】
特許文献１には、外面にロックアームが形成されたハウジングに外嵌されるゴムブーツが開示されている。ロックアームをロック解除操作する際には、ゴムブーツの外面のうちロックアームの解除操作部と対応する部位を押し操作するようになっている。
【先行技術文献】
【特許文献】
【０００３】
【特許文献１】特開２０１１−０４４３０３号公報
【発明の概要】
【発明が解決しようとする課題】
【０００４】
ロックアームをロック解除操作する際には、作業者は、ゴムブーツの外面のうち解除操作部と対応する部位に親指を宛がい、ゴムブーツの外面のうちハウジングを挟んで解除操作部と反対側の部位に人差し指を宛がうようになっている。ところが、人差し指を宛がう部位は突起状に膨らんでいるので、ロック解除操作のために指に力を入れたときに、人差し指が突起状の膨らみから外れてしまう。そのため、作業性の点で改善が望まれる。
【０００５】
本発明は上記のような事情に基づいて完成されたものであって、作業性の向上を図ることを目的とする。
【課題を解決するための手段】
【０００６】
第１の発明に係るゴムブーツは、
外周面にロックアームが配されたハウジングに外嵌される筒状包囲部と、
前記筒状包囲部の外周のうち前記ロックアームのロック解除操作部と対応する部位に形成され、前記ロック解除操作部をロック解除方向へ押すための押し操作部と、
前記筒状包囲部の外周のうち前記ハウジングを挟んで前記押し操作部とは反対側の位置に配され、前記押し操作部に対する押し操作力を受け止めるための指当て部と、
前記筒状包囲部の外周における前記指当て部の隣接部位に配され、前記指当て部より突出した形態の突出部とを備えていることを特徴とする。
【０００７】
第２の発明に係るコネクタは、
外周面にロックアームが配されたハウジングと、
前記ハウジングに外嵌される筒状包囲部を有するゴムブーツと、
前記筒状包囲部の外周のうち前記ロックアームのロック解除操作部と対応する部位に形成され、前記ロック解除操作部をロック解除方向へ押すための押し操作部と、
前記筒状包囲部の外周のうち前記ハウジングを挟んで前記押し操作部とは反対側の位置に配され、前記押し操作部に対する押し操作力を受け止めるための指当て部と、
前記筒状包囲部の外周のうち前記指当て部と隣接する部位に配され、前記指当て部より径方向へ突出した形態の突出部とを備えていることを特徴とする。
【発明の効果】
【０００８】
ロックアームをロック解除操作する際に、作業者は、人差し指を指当て部に宛がった状態で親指で押し操作部を押し操作する。このときに、突出部が人差し指の位置ずれを規制するので、人差し指が指当て部から外れる虞がなく、ロック解除の作業性が良好である。
【図面の簡単な説明】
【０００９】
【図１】実施例１のコネクタの斜視図
【図２】コネクタの正面図
【図３】図２のＸ−Ｘ線断面図
【図４】図２のＹ−Ｙ線断面図
【図５】ゴムブーツの斜視図
【図６】ゴムブーツの底面図
【図７】ゴムブーツの側断面図
【発明を実施するための形態】
【００１０】
第１及び第２の発明は、前記筒状包囲部から前記突出部の突出方向と同方向へ屈曲して延出した筒状の電線挿通部を備えており、前記電線挿通部の外周の一部が、前記指当て部を挟んで前記突出部と対向するように配された指受け部となっていてもよい。この構成によれば、指当て部に宛がった人差し指が、突出部と指受け部との間で挟まれるので、人差し指が指当て部から外れることを確実に規制することができる。
【００１１】
第１及び第２の発明は、前記突出部の肉厚寸法が、前記指当て部の肉厚寸法より大きく設定されていてもよい。この構成によれば、突出部の剛性が指当て部より高くなっているので、人差し指が指当て部から外れることを規制する機能の信頼性に優れている。
【００１２】
第１及び第２の発明は、前記筒状包囲部の前端面には、前記ハウジングを前方から内嵌させるための嵌合口が開口し、前記突出部の前端面が前記筒状包囲部の最前端に配され、前記筒状包囲部の前端部のうち前記突出部の形成部位の肉厚寸法が、前記突出部の形成されていない部位の肉厚寸法より大きく設定されていてもよい。筒状包囲部内にハウジングを内嵌させる際には、筒状包囲部の前端部が、ハウジングとの摩擦によって内側へ折り返し状に弾性変形し、筒状包囲部の内周とハウジングの外周との間に巻き込まれることが懸念される。しかし、突出部の肉厚寸法が部分的に大きくなっているので、筒状包囲部の前端部が筒状包囲部とハウジングとの間に巻き込まれる虞はない。
【００１３】
第１及び第２の発明は、前記突出部には、前記ハウジングとの嵌合対象である相手側コネクタのリブを収容可能な検知用凹部が形成されていてもよい。この構成によれば、リブが検知用凹部に収容されているか否かに基づいて、ハウジングと相手側コネクタとの嵌合状態を検知することが可能である。
【００１４】
第１及び第２の発明は、前記突出部の前端面は、検査用プローブを突き当てることが可能な検査用当接面となっていてもよい。この構成によれば、ハウジングとゴムブーツとの組合せの正誤検出等を、突出部を利用して行うことが可能である。
【００１５】
＜実施例１＞
以下、本発明を具体化した実施例１を図１〜図７を参照して説明する。本実施例１の雌側コネクタＦ（請求項に記載のコネクタ）と、雌側コネクタＦの嵌合対象である雄側コネクタＭ（請求項に記載の相手側コネクタ）は、例えば電動パーキングブレーキ装置を構成するものである。尚、以下の説明において、雌側コネクタＦの前後方向については、図１，３〜７における左方を前方と定義し、雄側コネクタＭの前後方向については、図３における右方を前方と定義する。上下の方向については、図１〜３，５，７にあらわれる向きを、そのまま上方、下方と定義する。
【００１６】
雄側コネクタＭは、装置本体（図示省略）に一体に設けられており、雌側コネクタＦと対向するように水平方向（前方）に突出したフード部４０を有する。フード部４０の外周における上面にはロック突起４１が形成され、フード部４０の外周における下面にはリブ４２が突出形成されている。ロック突起４１における雌側コネクタＦとの対向面（前面）は、両コネクタＦ，Ｍの嵌合方向に対して傾斜した誘導斜面４３となっている。リブ４２における雌側コネクタＦとの対向面（前面）は、両コネクタＦ，Ｍの嵌合方向に対して略直角な係止面４４となっている。
【００１７】
雌側コネクタＦは、ワイヤーハーネス４５の端末部に取り付けられており、ハウジング１０と、ハウジング１０に組み付けたゴムブーツ２１とを備えて構成されている。ハウジング１０は、複数の合成樹脂製の部品を組み付けて構成され、端子収容部１１と、端子収容部１１を包囲する筒状嵌合部１２とを備えている。端子収容部１１内には、ワイヤーハーネス４５を構成する電線４６に接続された雌端子金具（図示省略）が、ハウジング１０の後方から挿入されている。電線４６（ワイヤーハーネス４５）は、ハウジング１０の後面からハウジング１０の外部へ水平に引き出されている。
【００１８】
端子収容部１１の外周と筒状嵌合部１２の内周とで囲まれた空間は、ハウジング１０の前端面に開放された嵌合空間１３となっている。筒状嵌合部１２の下面部には、筒状嵌合部１２の前端から後方へ直線状に延びるガイド溝１４が形成されている。ガイド溝１４は、筒状嵌合部１２の外周から筒状嵌合部１２の内周（嵌合空間１３）に連通している。端子収容室の外周における後端部下面には、左右一対の係止突起１５が形成されている。
【００１９】
筒状嵌合部１２の上面部には、前端部を除いて切り欠かれた形態の切欠部１６が形成され、嵌合空間１３の上面側部分は、切欠部１６を介してハウジング１０の上方へ開放されている。ハウジング１０には、雌側コネクタＦと雄側コネクタＭを嵌合状態にロックするためのロックアーム１７が形成されている。ロックアーム１７は前後方向に長い形状をなし、ロックアーム１７の前後方向における中央部は、脚部１８を介して端子収容部１１の上面に支持されている。ロックアーム１７の前端部にはロック孔１９が形成され、ロックアーム１７の後端部にはロック解除操作部２０が形成されている。
【００２０】
ゴムブーツ２１は、軸線を前後方向に向けた筒状包囲部２２の後端部と、軸線を概ね上下方向内導体向けた筒状の電線挿通部２３の上端部とを連結した形態の単一部材である。筒状包囲部２２（ゴムブーツ２１）の前端面２２Ｓには、筒状包囲部２２の内部空間を筒状包囲部２２の前方へ開放させる嵌合口２４が開口している。嵌合口２４は、ハウジング１０をゴムブーツ２１の前方から筒状包囲部２２内に嵌入させるための開口部である。
【００２１】
電線挿通部２３の内部空間の上端部は、前方へ屈曲しており、筒状包囲部２２の内部空間の後端部と連通している。電線挿通部２３の下端面には、電線挿通部２３の内部空間を電線挿通部２３の下方へ開放させる電線導出口２５が開口している。電線導出口２５は、電線４６（ワイヤーハーネス４５）をゴムブーツ２１の外部へ導出させるための開口部である。筒状包囲部２２の内周下面部には、左右一対の係止凹部２６が形成されている。
【００２２】
ゴムブーツ２１とハウジング１０を組み付ける際には、電線４６を、ゴムブーツ２１の前方から嵌合口２４内に挿入して、筒状包囲部２２内及び電線挿通部２３内に挿通させ、電線挿通部２３の電線導出口２５からゴムブーツ２１の外部へ導出させる。次に、ハウジング１０を、ゴムブーツ２１の前方から嵌合口２４に嵌め込む。
【００２３】
ゴムブーツ２１をハウジング１０に組み付けた状態では、筒状包囲部２２が、ハウジング１０のうち前端部を除いた領域を全周に亘って連続して包囲した状態となる。ハウジング１０の後端面の外周が、筒状包囲部２２の奥端面のストッパ２７に突き当たることにより、ハウジング１０のゴムブーツ２１に対する後方への相対変位が規制される。ハウジング１０の係止突起１５が筒状包囲部２２の係止凹部２６に係止することにより、ハウジング１０のゴムブーツ２１に対する前方への相対変位が規制される。以上により、ハウジング１０とゴムブーツ２１が組付け状態に保持される。
【００２４】
筒状包囲部２２の外周の上面部には、押し操作部２８が形成されている。押し操作部２８は、前後方向（筒状包囲部２２の軸線方向）及び左右方向（筒状包囲部２２の周方向）の両方向において、ロック解除操作部２０と対応する部位に配されている。押し操作部２８は、筒状包囲部２２のうち押し操作部２８に隣接する領域に比べると、厚さ寸法（筒状包囲部２２の内周面から押し操作部２８の外面までの寸法）が大きいので、剛性が高められている。押し操作部２８の外面（上面）を押し操作すると、押し操作部２８が弾性変位してロック解除操作部２０が押し操作部２８と一体に下方へ変位し、ロックアーム１７がロック解除方向へ弾性変位するようになっている。
【００２５】
筒状包囲部２２の外周の下面部には、指当て部２９が形成されている。指当て部２９は、ハウジング１０を挟んで押し操作部２８（ロック解除操作部２０）と上下反対の位置に配されている。ロックアーム１７のロックを解除する操作を行う際に、作業者は、親指を前向きにして押し操作部２８を下向きに押し、人差し指を横向きにして指当て部２９に当てる。人差し指は、押し操作部２８から押し操作方向に延長した作用線Ｌ上に配されているので、親指による押し操作力を人差し指によって下から受けることができる。したがって、人差し指が指当て部２９に宛がわれていれば、親指による押し操作（ロック解除操作）を安定して行うことができる。
【００２６】
しかしながら、人差し指の位置が指当て部２９（押し操作力の作用線）から前方や後方へ外れてしまうと、親指による押し操作力を人差し指によって下から受けることができず、親指による押し操作（ロック解除操作）を安定して行うことができなくなる。そこで、本実施例のゴムブーツ２１には、人差し指の前方への位置ずれを防止する手段として、突出部３０と指受け部３１が一体形成されている。
【００２７】
突出部３０は、筒状包囲部２２の外周における下面部から下方へ突出した形態である。突出部３０の肉厚寸法（筒状包囲部２２の内周面から突出部３０の突出端である下面までの距離）は、指当て部２９の肉厚寸法より大きく設定されている。突出部３０は、前後方向に関しては指当て部２９の前方に隣接するように配され、左右方向に関しては指当て部２９と同じ位置（筒状包囲部２２の左右方向中央部）に配されている。突出部３０の後面は、側面視において弧状をなし、指当て部２９の前端部に対し滑らかな接線状に連なっている。
【００２８】
前後方向における突出部３０の形成領域は、ロック解除操作部２０よりも前方の領域である。指当て部２９に宛がった人差し指は、突出部３０の弧状の後面に当接するか、若しくは突出部３０の弧状の後面に対して後方から接近して対向する状態となるので、人差し指が指当て部２９から前方へ位置ずれすることはない。
【００２９】
指受け部３１は、電線挿通部２３の上端部外周を構成する部位である。電線挿通部２３は筒状包囲部２２の後端部に連なり、筒状包囲部２２から下方（突出部３０と概ね同じ方向）へ延出している。指当て部２９は筒状包囲部２２の後端部に配されている。したがって、指受け部３１は、前後方向に関しては、指当て部２９の後方に隣接するように配されている。また、指受け部３１は、左右方向に関しては、指当て部２９及び突出部３０と同様、ゴムブーツ２１（筒状包囲部２２及び電線挿通部２３）の中央部に配されている。
【００３０】
前後方向における指受け部３１の形成領域は、ロック解除操作部２０よりも後方の領域である。指当て部２９に宛がった人差し指は、指受け部３１の前面に当接するか、若しくは指受け部３１の前面に対して前方から接近して対向する状態となるので、人差し指が指当て部２９から後方へ位置ずれすることはない。
【００３１】
また、突出部３０の前端面３０Ｆは、両コネクタＦ，Ｍの嵌合方向及びゴムブーツ２１（筒状包囲部２２）に対するハウジング１０の組み付け方向と直交する平面となっている。突出部３０は筒状包囲部２２の前端部２２Ｆに配されている。突出部３０の前端面３０Ｆは、筒状包囲部２２の前端面２２Ｓのうち周方向において突出部３０以外の領域と面一状に連なっている。換言すると、突出部３０の前端面３０Ｆは、筒状包囲部２２の最前端に位置している。この突出部３０の前端面３０Ｆは、導通検査の際に、検査用プローブ４７を突き当てるための検査用当接面３２として機能する。
【００３２】
突出部３０は、筒状包囲部２２の前端部２２Ｆのうち突出部３０が形成されていない領域と同様、嵌合口２４の口縁部を構成している。突出部３０の肉厚寸法は、筒状包囲部２２のうち突出部３０と周方向に連なる隣接領域２２Ｎの肉厚寸法よりも大きく設定されている。したがって、筒状包囲部２２の前端部２２Ｆの剛性は、突出部３０の形成部位が突出部３０の隣接領域２２Ｎよりも高くなっている。
【００３３】
また、突出部３０には、その前端面３０Ｆを凹ませた形態の検知用凹部３３が形成されている。検知用凹部３３は、筒状包囲部２２の内周面及び外周面に開放され、左右方向においてガイド溝１４と対応する位置に配されている。また、前後方向において、突出部３０の前端面３０Ｆは、ハウジング１０（ガイド溝１４）の前端より後方に位置するが、検知用凹部３３の後端（奥端）はガイド溝１４の後端（奥端）より僅かに後方（奥方）に位置する。検知用凹部３３の前後寸法は、雄側コネクタＭのリブ４２の前後寸法より小さい寸法に設定されている。
【００３４】
雌側コネクタＦを雄側コネクタＭに嵌合する際には、端子収容部１１をフード部４０内に内嵌するとともに筒状嵌合部１２をフード部４０に外嵌し、フード部４０を嵌合空間１３内に進入させる。嵌合過程では、ロックアーム１７の前端部がロック突起４１の誘導斜面４３に当接するので、ロックアーム１７は、脚部１８を支点として前端部を上方（端子収容部１１の上面から遠ざかるロック解除方向）へ変位させるようにシーソー状に弾性変位する。
【００３５】
この間、雄側コネクタＭのリブ４２が雌側コネクタＦのガイド溝１４内に進入し、リブ４２の左右両外側面がガイド溝１４の左右両内側面に摺接するので、両コネクタＦ，Ｍの左右方向へのコジリが防止される。尚、リブ４２がガイド溝１４内で摺動する間、リブ４２の下端部はハウジング１０の外面（下面）から外方（下方）へ突出している。両コネクタＦ，Ｍが正規の嵌合状態に至ると、ロックアーム１７が弾性復帰してロック孔１９がロック突起４１に係止する。両コネクタＦ，Ｍは、ロック孔１９とロック突起４１の係止作用により正規嵌合状態にロックされる。
【００３６】
また、両コネクタＦ，Ｍが半嵌合の状態（正規嵌合に至る前側の状態）では、雄側コネクタＭのリブ４２がゴムブーツ２１の収容凹部内に到達しておらず、リブ４２の全体が、筒状包囲部２２の前端面２２Ｓより前方に位置する。また、両コネクタＦ，Ｍが正規の嵌合状態に至ると、リブ４２は、ガイド溝１４の奥端部（後端部）に到達し、リブ４２の前端側部分が検知用凹部３３内に収容される。この状態では、側面視において、リブ４２の下端部の後端部のみがハウジング１０及びゴムブーツ２１の外部へ露出する。
【００３７】
本実施例によれば、突出部３０に、ハウジング１０（雌側コネクタＦ）との嵌合対象である雄側コネクタＭのリブ４２を収容可能な検知用凹部３３を形成したので、リブ４２の全体が検知用凹部３３の外部に位置するか、リブ４２の前端部が検知用凹部３３に収容されているかに基づいて、ハウジング１０と雄側コネクタＭとの嵌合状態を検知することができる。
【００３８】
また、雌側コネクタＦを上下反転した不正な姿勢で雄側コネクタＭに嵌合しようとした場合は、ガイド溝１４内にロック突起４１が進入するとともに、リブ４２がロックアーム１７に接近し、嵌合の途中でリブ４２の係止面４４がロックアーム１７の前端縁に突き当たる。係止面４４は、両コネクタＦ，Ｍの嵌合方向と略直角な面なので、ロックアーム１７とリブ４２が干渉状態となり、雌側コネクタＦはそれ以上の嵌合動作を規制される。雌側コネクタＦの嵌合動作が途中で規制されることにより、雌側コネクタＦが不正な向きで嵌合されたということを検知できる。
【００３９】
嵌合状態にロックされている両コネクタＦ，Ｍを離脱させる際には、ゴムブーツ２１の押し操作部２８を押し操作することにより、ロック解除操作部２０を、端子収容部１１の上面に接近させるように下向きに（ロック解除方向へ）押し動かし、ロックアーム１７をロック解除姿勢へ弾性変位させる。ロックアーム１７がロック解除姿勢になると、ロック孔１９が上方へ変位してロック突起４１から解離するので、ロックアーム１７のロックが解除される。この後は、ロックアーム１７をロック解除状態に保持したままで、雌側コネクタＦを雄側コネクタＭから引き離せばよい。
【００４０】
ロックアーム１７をロック解除操作する際には、作業者は、ゴムブーツ２１の上面の押し操作部２８に親指を宛がい、ゴムブーツ２１の下面の指当て部２９に人差し指を宛がい、親指と人差し指との間で筒状包囲部２２を介してハウジング１０を上下に挟み付けるようにする。このとき、指当て部２９に宛がっている人差し指は、前方の突出部３０と後方の指受け部３１との間で前後方向に挟まれているので、指当て部２９から前方や後方へ位置ずれする虞はない。これにより、親指が押し操作部２８から外れる虞もないので、ロックアーム１７をロック解除するための押し操作を、安定して行うことができる。
【００４１】
本実施例の雌側コネクタＦは、外周面にロックアーム１７が配されたハウジング１０と、ハウジング１０に外嵌される筒状包囲部２２を有するゴムブーツ２１とを備えている。ゴムブーツ２１は、押し操作部２８と指当て部２９と突出部３０とを有している。押し操作部２８は、筒状包囲部２２の外周上面部のうちロックアーム１７のロック解除操作部２０と対応する部位に形成されており、押し操作部２８をハウジング１０側へ押し操作することで、ロック解除操作部２０がロック解除方向へ押し動かされる。指当て部２９は、筒状包囲部２２の外周下面部のうちハウジング１０を挟んで押し操作部２８とは反対側の位置に配されている。指当て部２９に人差し指を宛がうことで、押し操作部２８に対して親指から付与された下向きの押し操作力を、人差し指で受け止めることができる。
【００４２】
突出部３０は、筒状包囲部２２の外周のうち指当て部２９と隣接する部位（指当て部２９の前方）に配され、指当て部２９より径方向へ突出した形態である。ロックアーム１７をロック解除操作する際に、作業者は、人差し指を指当て部２９に宛がった状態で親指で押し操作部２８を押し操作するのであるが、このときに、突出部３０が人差し指の位置ずれを規制するので、人差し指が指当て部２９から外れる虞がなく、ロック解除の作業性が良好である。
【００４３】
また、ゴムブーツ２１は、筒状包囲部２２の後端部から突出部３０の突出方向と同方向（下方）へ屈曲して延出した筒状の電線挿通部２３を備えている。電線挿通部２３の上端部外周の一部（前面部）が、指当て部２９を挟んで突出部３０と前後に対向するように配された指受け部３１となっている。この構成によれば、指当て部２９に宛がった人差し指が、突出部３０と指受け部３１との間で挟まれるので、人差し指が指当て部２９から外れることを確実に規制することができる。
【００４４】
また、突出部３０の肉厚寸法は、指当て部２９の肉厚寸法より大きく設定されているので、突出部３０の剛性は指当て部２９より高く、人差し指が突出部３０に強く押し付けられても、突出部３０が前方へ不正に変形する虞はない。したがって、人差し指が指当て部２９から外れることを規制する機能の信頼性に優れている。また、突出部３０の肉厚寸法が大きいということは、突出部３０の前端面３０Ｆの面積が広いということを意味する。この点に着目し、突出部３０の前端面３０Ｆを、検査用プローブ４７を突き当てることが可能な検査用当接面３２として機能させている。検査用当接面３２に検査用プローブ４７を当接させることで、ハウジング１０とゴムブーツ２１との組合せの正誤検出等を行うことが可能である。
【００４５】
また、筒状包囲部２２の前端面２２Ｓには、ハウジング１０を前方から内嵌させるための嵌合口２４が開口しているのであるが、筒状包囲部２２内にハウジング１０を内嵌させる際には、筒状包囲部２２の前端部２２Ｆが、ハウジング１０との摩擦によって折り返し状に弾性変形し、筒状包囲部２２の内周とハウジング１０の外周との間に巻き込まれることが懸念される。
【００４６】
そこで、筒状包囲部２２の前端部２２Ｆのうち突出部３０の形成部位の肉厚寸法を、突出部３０の形成されていない部位の肉厚寸法より大きく設定した上で、突出部３０の前端面３０Ｆを筒状包囲部２２の最前端に配した。このようにすれば、筒状包囲部２２の前端部２２Ｆのうち肉厚寸法が部分的に大きくなっている突出部３０においては、剛性が高くなっているので、筒状包囲部２２の前端部２２Ｆが筒状包囲部２２とハウジング１０との間に巻き込まれることを防止できる。
【００４７】
＜他の実施例＞
本発明は上記記述及び図面によって説明した実施例に限定されるものではなく、例えば次のような実施例も本発明の技術的範囲に含まれる。
（１）上記実施例では、突出部を指当て部の前方のみに隣接するように配したが、突出部は、指当て部の後方のみに隣接するように配してもよく、指当て部の前方と後方の両方に隣接するように配してもよい。
（２）上記実施例では、突出部の肉厚寸法を記指当て部の肉厚寸法より大きく設定したが、突出部の肉厚寸法を、指当て部の肉厚寸法より小さく設定してもよく、指当て部の肉厚寸法と同じ寸法に設定してもよい。
（３）上記実施例では、指受け部を電線挿通部の外周に形成したが、指受け部は、電線挿通部以外の部位に形成してもよい。
（４）上記実施例では、電線挿通部が、筒状包囲部から突出部の突出方向と同方向へ屈曲して延出しているが、電線挿通部は、突出部の突出方向とは異なる方向へ延出する形態としてもよい。
（５）上記実施例では、突出部の前端面が筒状包囲部の最前端に配されているが、突出部の前端面は、筒状包囲部の最前端より後方の位置に配されていてもよい。
（６）上記実施例では、筒状包囲部の前端面のうち突出部を構成する領域と、突出部を構成しない領域とが、面一状に連続しているが、筒状包囲部の前端面のうち突出部を構成する領域は、突出部を構成しない領域に対して前後方向にずれた位置に配されていてもよい。
（７）上記実施例では、突出部に、相手側コネクタのリブを収容するための検知用凹部が形成されているが、突出部には検知用凹部が形成されていなくてもよい。
（８）上記実施例では、突出部の前端面が検査用プローブを突き当てるための検査用当接面として機能するようになっているが、突出部の前端面は検査用当接面として機能しないものであってもよい。
【符号の説明】
【００４８】
Ｆ…雌側コネクタ（コネクタ）
Ｍ…雄側コネクタ（相手側コネクタ）
１０…ハウジング
１７…ロックアーム
２０…ロック解除操作部
２１…ゴムブーツ
２２…筒状包囲部
２２Ｆ…筒状包囲部の前端部
２３…電線挿通部
２４…嵌合口
２８…押し操作部
２９…指当て部
３０…突出部
３０Ｆ…突出部の前端面
３１…指受け部
３３…検知用凹部
４２…リブ
【図１】
2019160476.tif 000003
【図２】
2019160476.tif 000004
【図３】
2019160476.tif 000005
【図４】
2019160476.tif 000006
【図５】
2019160476.tif 000007
【図６】
2019160476.tif 000008
【図７】
2019160476.tif 000009